(57)【要約】【課題】 施工作業が容易で、かつ優れた耐久性および強度が得られる支線固定具と、これを使用したアンテナ固定構造とを提供する。【解決手段】線材の一端に、住宅建物７に固定する末端金具４が設けられ、当該線材の他端に、屋根７０上に設けられたアンテナ５から延設された支線６と連結する環状部３が設けられた支線固定具１であって、なまし線２１を芯とし、その周囲に複数本の撚り硬線２２が設けられてさらに同心撚りされ、その外周全体に樹脂材料のコーティング層２３が形成された樹脂コート複合撚り線２が、線材として用いられたものである。この支線固定具１によるアンテナ５の固定構造であって、末端金具４が住宅建物７にビス固定され、屋根７０上に設けられたアンテナ５から延設された支線６が環状部３と連結されてなるものである。【選択図】  図１
2013026967.tif 000002
【特許請求の範囲】
【請求項１】
線材の一端に、住宅建物に固定する固定部が設けられ、当該線材の他端に、屋根上に設けられたアンテナから延設された支線と連結する連結部が設けられた支線固定具であって、
なまし線を芯とし、その周囲に複数本の撚り硬線が設けられてさらに同心撚りされ、その外周全体に樹脂材料のコーティング層が形成された樹脂コート複合撚り線が、線材として用いられたことを特徴とする支線固定具。
【請求項２】
０．５〜１．５ｍｍのステンレス製なまし線を芯とし、その周囲に、０．０７５〜０．３５ｍｍのステンレス製硬線を４〜１２本撚りした撚り硬線を４〜８本用いてさらに同心撚りされ、外径が１．７５〜３．５ｍｍとなるようにコーティング層が形成された樹脂コート複合撚り線を具備し、
一端は、環状部を形成した状態で金具でカシメ止めされ、他端は、ビス固定用の末端金具がカシメ止めされてなる請求項１記載の支線固定具。
【請求項３】
樹脂材料がポリアミド樹脂からなり、コーティング層中にＵＶカット剤が含まれてなる請求項１または２記載の支線固定具。
【請求項４】
ＵＶカット剤がカーボン粉末である請求項３記載の支線固定具。
【請求項５】
請求項１ないし４の何れか１に記載の支線固定具によるアンテナ固定構造であって、
末端金具が住宅建物にビス固定され、屋根上に設けられたアンテナから延設された支線が環状部と連結されてなることを特徴とするアンテナ固定構造。
【請求項６】
外周全体が樹脂材料でコーティングされたコーティング層が形成された樹脂コート撚り線を支線として用いた請求項５記載のアンテナ固定構造。
【発明の詳細な説明】
【技術分野】
【０００１】
本発明は、屋根に設置したアンテナを支持するために架け渡した支線を固定する支線固定具と、これを用いたアンテナ固定構造とに関するものである。
【背景技術】
【０００２】
従来より、切妻屋根や寄棟屋根の住宅建物において、屋上にテレビアンテナなどを設置する場合は、屋根上に設けた屋根用架台にアンテナを固定し、これら架台およびアンテナと、住宅建物に固定した支線固定具との間に支線を張って、台風などの強風でもアンテナが吹き飛ばされないようにしていた。
【０００３】
この際使用する支線固定具は、ワイヤの両端にそれぞれ輪を形成し、ワイヤの端部は円筒金属を用いて工具でかしめられていた。一方の輪に保持筒を内嵌めし、保持筒外周の環状溝に輪を回動自在に保持し、保持筒に釘を挿入し、釘の先端よりパッキンを嵌め、他方の輪およびワイヤ中央部を保護チューブで被覆した構成となっていた。
【０００４】
この支線固定具によって支線を固定する際は、まず、地上側から住宅建物の屋根の軒先等に支線固定具をビス固定していた。
【０００５】
そして、当該支線固定具の自由端側と、アンテナに架け渡した支線とを、アンテナ施工時に屋根上に乗った作業員が、屋根上側から接続していた。
【０００６】
上記施工作業の際、支線固定具は、地上側から固定するのに対し、当該支線固定具の自由端側と、アンテナに架け渡した支線との接続は、屋根上で行うため、支線固定具の自由端を、屋根上から作業員が引き寄せる際、非常に危険を伴っていた。
【０００７】
そこで、従来より、支線固定具の自由端側を屋根上側に位置させるために、屋根上からワイヤーが垂れ下がらないようにする止め部材を設けた支線固定具が提案されている（例えば、特許文献１参照）。
【先行技術文献】
【特許文献】
【０００８】
【特許文献１】実公平４−１１３７０号公報
【発明の概要】
【発明が解決しようとする課題】
【０００９】
しかし、上記従来の支線固定具を用いた場合であっても、止め部材よりも先端側は自重によって垂れ下がるため、止め部材よりも先端側の長さを長く残した場合は、作業員が屋根上から引き寄せる際、簡単に引き寄せることはできない。止め部材よりも先端側の長さを短くした場合は、支線固定具を地上側から固定する際、屋根側に身を乗り出して支線固定具の固定位置から離れた位置に止め部材を取り付けなければならず、これも作業の危険性が懸念されることとなる。
【００１０】
また、上記従来のワイヤ固定具は、保持筒を内嵌めしたり、保護チューブを被覆したりしているが、雨水がこれら保持筒や保護チューブと、ワイヤとの間隙に残ってしまう。そして、この残った雨水によって、ワイヤが電解腐食してしまうことが懸念される。
【００１１】
そのため、十分な引張強度を確保し、かつ、電解腐食にもたえ得る程度の太さとした太いなまし線を２本撚りにしたものを使用することも行われているが、この場合、逆に固くなりすぎて柔軟性に欠けるため、支線の取り回しが煩わしくなる。
【００１２】
本発明は係る実情に鑑みてなされたものであって、施工作業が容易で、かつ優れた耐久性および強度が得られる支線固定具と、これを使用したアンテナ固定構造とを提供することを目的としている。
【課題を解決するための手段】
【００１３】
上記課題を解決するための本発明の支線固定具は、線材の一端に、住宅建物に固定する固定部が設けられ、当該線材の他端に、屋根上に設けられたアンテナから延設された支線と連結する連結部が設けられた支線固定具であって、なまし線を芯とし、その周囲に複数本の撚り硬線が設けられてさらに同心撚りされ、その外周全体に樹脂材料のコーティング層が形成された樹脂コート複合撚り線が、線材として用いられたものである。
【００１４】
また、支線固定具は、０．５〜１．５ｍｍのステンレス製なまし線を芯とし、その周囲に、０．０７５〜０．３５ｍｍのステンレス製硬線を４〜１２本撚りした撚り硬線を４〜８本用いてさらに同心撚りされ、外径が１．７５〜３．５ｍｍとなるようにコーティング層が形成された樹脂コート複合撚り線を具備し、一端は、環状部を形成した状態で金具でカシメ止めされ、他端は、ビス固定用の末端金具がカシメ止めされてなるものであってもよい。
【００１５】
さらに、支線固定具は、樹脂材料がポリアミド樹脂からなり、コーティング層中にＵＶカット剤が含まれてなるものであってもよい。ＵＶカット剤がカーボン粉末であってもよい。
【００１６】
上記課題を解決するための本発明のアンテナ固定構造は、上記した支線固定具によるアンテナ固定構造であって、末端金具が住宅建物にビス固定され、屋根上に設けられたアンテナから延設された支線が環状部と連結されてなるものである。
【００１７】
また、上記アンテナ固定構造において、外周全体が樹脂材料でコーティングされたコーティング層が形成された樹脂コート撚り線を支線として用いたものであってもよい。
【発明の効果】
【００１８】
以上述べたように、本発明によると、なまし線を芯とし、その周囲に複数本の撚り硬線が設けられてさらに同心撚りされ、その外周全体に樹脂材料のコーティング層が形成された樹脂コート複合撚り線を、線材として用いているので、簡単に可撓変形させることができ、かつ、その形状を維持することができる。したがって、一端の固定部を住宅建物に固定した後、他端を、屋根上に設けられたアンテナの方向に折り曲げて簡単に取り回すことができる。また、この他端にアンテナからの支線を連結する場合も、アンテナの方向を向くように折り曲げられた樹脂コート複合撚り線の形状が維持されているので、簡単に引き寄せて支線と連結することができる。
【００１９】
また、樹脂コート複合撚り線は、その外周全体を樹脂材料でコーティングしてコーティング層を形成しているので、雨などの水分がなまし線や撚り硬線に触れて電解腐食を起こすことも無く、優れた耐久性および強度を得ることができる。
【００２０】
本発明のアンテナ固定構造によると、優れた耐久性および強度で支線を張ることができる。また、外周全体が樹脂材料でコーティングされたコーティング層を形成した樹脂コート撚り硬線を支線として使用した場合は、支線を容易に張ることができるので、緩みがなく安全性に優れた施工ができる。また、コーティング層によって撚り硬線の外周全体を被覆しているので、支線の耐久性および強度も向上することとなる。
【図面の簡単な説明】
【００２１】
【図１】本発明に係る支線固定具の全体構成の概略を示す斜視図である。
【図２】本発明に係る支線固定具における、樹脂コート複合撚り線の部分の断面図である。
【図３】本発明に係るアンテナ固定構造の全体構成の概略を示す斜視図である。
【図４】本発明に係る支線固定具を住宅建物の軒下部に固定した状態を示す斜視図である。
【発明を実施するための形態】
【００２２】
以下、本発明の実施の形態を図面を参照して説明する。
【００２３】
図１は支線固定具１の全体構成の概略を示し、図２は同支線固定具１の樹脂コート複合撚り線の部分の断面図を示し、図３は支線固定具を用いたアンテナ固定構造に関するのもである。
【００２４】
この支線固定具１は、樹脂コート複合撚り線２の一端に環状部３を形成し、他端に末端金具４を設けて構成されている。
【００２５】
樹脂コート複合撚り線２は、図２に示すように、なまし線２１の周囲に７本撚りの撚り硬線２２を６本設け、これら６本の撚り硬線２２で、前記なまし線２１を芯にして同心撚りした後、外周全体に、樹脂材料のコーティング層２３を形成して構成されている。
【００２６】
なまし線２１としては、例えば、直径φ０．８ｍｍのＳＵＳ３０４からなるものを用いることができる。ただし、このなまし線２１としては、特に上記したものに限定されるものではなく、各種ステンレス合金製のものを使用することができる。また、太さとしては０．５ｍｍ〜１．５ｍｍ、さらに好ましくは０．６ｍｍ〜１．０ｍｍの範囲のものを使用することができる。０．５ｍｍ未満の場合は可撓変形させた後、その形状を十分に維持することができず、１．５ｍｍを越える場合は、可撓変形させ難くなるとともに、樹脂コート複合撚り線２が過剰に太くなり過ぎてしまう。
【００２７】
７本撚りの撚り硬線２２としては、直径φ０．２ｍｍのＳＵＳ３０４からなる硬線２２ａを撚ったものを使用することができる。ただし、この撚り硬線２２としては、特に上記７本撚りに限定されるものではなく、各種撚り数の撚り硬線２２を使用することができる。したがって、硬線２２ａについても、特に上記したものに限定されるものではなく、各種ステンレス合金製のものを使用することができる。また、太さとしては０．０７５ｍｍ〜０．３５ｍｍ、さらに好ましくは０．１ｍｍ〜０．３ｍｍの範囲のものを使用することができる。０．０７５ｍｍ未満の場合は十分な引張強度を得ることができず、０．３５ｍｍを越える場合は、可撓変形させてもその形状を維持し難くなるとともに、樹脂コート複合撚り線２が過剰に太くなり過ぎてしまう。
【００２８】
また、撚り硬線２２は、なまし線２１を芯にして周囲に６本設けて同心撚りした複合撚り線としているが、このなまし線２１を芯にして周囲に設ける撚り硬線２２の数としては、特に６本に限定されるものではなく、４本〜８本程度で複合よりするものであってもよい。また、撚り硬線２２の撚り数自体も、７本撚りとなっているが、４本〜１２本程度の撚り硬線２２であってもよい。
【００２９】
コーティング層２３は、上記複合撚り線の表面に樹脂材料からなるコーティングを設けて樹脂コート複合撚り線２の外径が２．５ｍｍとなるように構成される。このコーティングは、ディンピングによって形成するものであてっもよいし、熱収縮性を有する筒状のチューブ内に複合撚り線を挿通し、外側から加熱してチューブを熱収縮させてコーティング層２３を形成するものであってもよい。ただし、雨水などとの接触による電解腐食を防止する意味では、ディンピングなどによって確実に隙間無くコーティング層２３を形成することが好ましい。このコーティング層２３の厚みとしては、特に限定されるものではないが、薄すぎると切れて内部の撚り線２２が露出し易くなり、厚すぎると樹脂コート複合撚り線２の外径が過剰に太くなり、樹脂材料のコストも嵩むこととなる。したがって、０．５ｍｍ以下の範囲で用途に応じて適宜調整される。
【００３０】
コーティング層２３を構成する樹脂材料としては、各種のポリアミド樹脂を用いることができる。この樹脂材料中には、ＵＶカット剤が添加されていてもよい。この場合、ＵＶカット剤としては、酸化チタンやカーボンなどの粉末を挙げることができる。
【００３１】
環状部３は、上記した樹脂コート複合撚り線２の一端を環状にしてその一端を筒状のカシメ金具３１でカシメ止めすることによって形成される。この環状部３は、アンテナ５からの支線６を係止させることができる大きさであれば特にその環の大きさは限定されるものではない。
【００３２】
末端金具４は、座金４１から筒状のカシメ部４１ａが延設されており、このカシメ部４１ａには、上記した樹脂コート複合撚り線２の他端部がカシメ止めされる。座金４１にはビス４２が挿通され、挿通側には、ゴム製パッキン４３が設けられている。なお、この末端金具４は、住宅建物７に固定するために構成されたものであれば、上記したような形状に限定されるものではなく、例えば、上記環状部３と同様に構成され、住宅建物７に固定される金具（図示省略）と連結するようにしたものであってもよい。
【００３３】
このようにして形成される支線固定具１は、全長６０ｃｍ〜８０ｃｍの範囲で形成したものを構成することができる。また、引張強度としては、３０〜３５０Ｋｇｆの範囲で所望のものを形成することができる。１００〜３００Ｋｇｆの引張強度となるように形成したものを使用することがより好ましい。ちなみに、上記した直径φ０．８ｍｍのＳＵＳ３０４からなるなまし線２１の周囲に、直径φ０．２ｍｍのＳＵＳ３０４からなる硬線２２ａを７本撚りした撚り硬線２２を６本設けて複合撚りした後、カーボン粉末を配合したナイロン樹脂のコーティング層２３を形成した直径φ２．５ｍｍのナイロンコート複合撚り線２を用いて長さ７０ｃｍに構成した支線固定具１では、引張強度２５０Ｋｇｆが得られた。また、施工時に折り曲げた状態を維持することができた。
【００３４】
次に、上記支線固定具１の施工手順について説明する。
【００３５】
まず、住宅建物７の垂木や鼻隠し板などの軒下部７１に支線固定具１の末端金具４を固定する。この固定は、作業員が地上からはしごなどを使って軒下部７１にゴムパッキン４３を介して座金４１を当接し、ビス４２で固定することによって行うことができる。
【００３６】
ついで、支線固定具１の環状部３側が、屋根７０の上のアンテナ５の方向に向くように、支線固定具１の樹脂コート複合撚り線２を折り曲げる。この際、支線固定具１は、芯になまし線２１を使用した樹脂コート複合撚り線２によって構成されているので、簡単に折り曲げることができ、しかもこの折り曲げ状態を維持することができる。
【００３７】
その後、屋根７０の上にアンテナ５とこのアンテナ５を支持する架台５１とを設け、このアンテナ５に架け渡した支線６を、支線固定具１の環状部３と連結する。この際、支線固定具１は、環状部３がアンテナ５の方向を向いているため、作業員は、屋根７０の上からでも容易に環状部３を引き寄せることができ、簡単に支線６と支線固定具１の環状部３とを連結することができる。連結後は、支線固定具１と支線６との間に締結部材８などを設けてこの締結部材８を締め込むことによって支線６を張る。この際、支線固定具１は、なまし線２１を芯にして撚り硬線２２を複合撚りしているため、十分な引張強度を確保することができ、しかも、外周全体を樹脂材料のコーティング層でコーティングしているので、電解腐食を防止して優れた耐久性を確保することができる。
【００３８】
なお、支線６としては、一般に使用されている番線を使用しても良いが、外周全体に樹脂材料のコーティング層を形成した樹脂コート撚り硬線（図示省略）を使用してもよい。番線を使用した場合は、番線にクセが付いていることが多いため、しっかりと張ってもクセが取れずに緩むことが懸念されるが、樹脂コート撚り硬線の場合は、このようなクセが付いていないため、緩むことなく簡単に張ることができる。この樹脂コート撚り硬線（図示省略）の撚り線を構成する硬線の大きさや数、撚り方などについては特に限定されるものではなく、支線固定具１に使用されいてる樹脂コート複合撚り線２と同等の引張強度を有するものが使用される。
【００３９】
このようにして構成したアンテナ固定構造によると、優れた耐久性および強度で支線６を張ることができる。また、外周全体が樹脂材料でコーティングされたコーティング層を形成した樹脂コート撚り線を支線６として使用した場合は、支線６を容易に張ることができるので、緩みがなく安全性に優れたアンテナ固定構造とすることができる。
【産業上の利用可能性】
【００４０】
本発明に係る支線固定具は、アンテナ設置時の支線を住宅建物に固定する際に用いられる。
【符号の説明】
【００４１】
１  支線固定具
２  樹脂コート複合撚り線
２１  なまし線
２２  撚り硬線
３  環状部
４  末端金具
５  アンテナ
５１  架台
６  支線
７  住宅建物
７０  屋根
【図１】
2013026967.tif 000003
【図２】
2013026967.tif 000004
【図３】
2013026967.tif 000005
【図４】
2013026967.tif 000006